(57)【要約】【課題】キャビネット１０の矩形の開口１１の部分に取付けられる透明板から成る透明窓１５の内側に、液晶表示パネル２３を配するようにした表示装置において、とくに液晶表示パネル２３と透明窓１５との間に粉塵が侵入しないようにし、これによって良好な表示を安定に行なうようにする。【解決手段】液晶表示パネル２３の枠体２４上であって、上記透明窓１５の内側の周縁部との間に、防塵部材２７を配するようにし、この防塵部材２７の一方の表面に接合されている接着シート２９によって液晶表示パネル２３の枠体２４に接合するとともに、この防塵部材２７をスポンジシート２８から構成し、その接着シート２９が接合されている面とは反対側の面にポリエチレンテレフタレートから成る滑性フィルム３０を接合し、この滑性フィルム３０が透明窓１５を備えるキャビネット１０の内表面に圧着されるようにする。【選択図】図３
2008180769.tif 000002
【特許請求の範囲】
【請求項１】
表面が表示面になっているほぼ矩形の表示パネルと、
前記表示パネルの表示面と対応する透明窓を有する筐体と、
前記筐体の透明窓の周縁であって内側と前記表示パネルの周縁部との間に介在されかつ弾性を有する防塵部材と、を具備し、
前記防塵部材の前記透明窓の周縁の部分に接する部位に滑性フィルムが接合されていることを特徴とする表示パネルの防塵装置。
【請求項２】
前記表示パネルが液晶表示パネルであることを特徴とする請求項１に記載の防塵装置。
【請求項３】
前記防塵部材が多孔性クッション材であることを特徴とする請求項１に記載の防塵装置。
【請求項４】
前記防塵部材が合成樹脂製またはゴム製のスポンジであることを特徴とする請求項１に記載の防塵装置。
【請求項５】
前記滑性フィルムが高分子フィルムであることを特徴とする請求項１に記載の防塵装置。
【請求項６】
前記滑性フィルムがポリエチレンテレフタレートフィルムであることを特徴とする請求項１に記載の防塵装置。
【請求項７】
前記防塵部材の前記滑性フィルムが接合される表面とは反対側の表面であって前記表示パネルの周縁部と接する部位に接着手段が接合されていることを特徴とする請求項１に記載の防塵装置。
【請求項８】
外表面が表示面になっており、所定の表示動作を行なう表示パネルにおいて、
前記表示パネルがフロントパネルまたはキャビネットの透明窓の内側に配されるようになっており、しかも該フロントパネルまたはキャビネットの透明窓の内側の周縁部に弾性部材が介装され、該弾性部材の少なくとも前記透明窓の内側の周縁部と接する部位に滑性フィルムが接合され、前記弾性部材によって前記表示パネルの表示面と透明窓との間に粉塵が侵入しないようにしたことを特徴とする表示パネルの防塵装置。
【請求項９】
前記弾性部材の前記滑性フィルムが接合される表面とは反対側の表面に接着シートが接合され、該接着シートによって前記弾性部材が前記表示パネルの周縁部に接合されることを特徴とする請求項８に記載の表示パネルの防塵装置。
【請求項１０】
前記表示パネルをマウントしたシャーシがキャビネット内に挿入されて組込まれるようになっており、しかも組込み時に前記キャビネットの内表面上を前記滑性フィルムが摺接することを特徴とする請求項８に記載の表示パネルの防塵装置。
【請求項１１】
前記表示パネルの周縁部であって枠体の先端側と後端側とがそれぞれ傾斜しており、該傾斜している部分に前記滑性フィルムの端部が接合されることを特徴とする請求項８に記載の表示パネルの防塵装置。
【請求項１２】
予め前記滑性フィルムが接合された状態で前記表示パネルが前記キャビネット内に組込まれることを特徴とする請求項８に記載の表示パネルの防塵装置。
【発明の詳細な説明】
【技術分野】
【０００１】
本発明は表示パネルの防塵装置に係り、とくに表面が表示面になっている表示パネルを透明窓の内側に配するようにした表示パネルの防塵装置に関する。
【背景技術】
【０００２】
各種の電子機器における表示手段として、液晶表示パネルが広く用いられている。液晶表示パネルは小型のものから大型のものまで、各種の大きさのものを製作することができ、このために広範囲の電子機器の表示手段に用いられるようになっている。
【０００３】
このような表示パネルをキャビネット内に組込む際に、このキャビネットの周縁部を固定するために、例えば実用新案登録第２５８６７５０号公報には、上金属フレームと下金属フレームとの間にクッション材を介して液晶表示パネルを配するようにした構成が開示されている。また実開昭６０−６８５１５号公報には、前面枠と背部カバーとの間に液晶表示パネルを、導電性ゴムを介してプリント基板に圧着させて取付ける構成が開示されている。
【０００４】
このような圧着ゴムや導電性ゴムは、所定の弾性を有するものの、比較的硬度が高いために、比較的高い押圧力を必要とする。従ってその反力がキャビネットに伝達されることになる。従ってこのような圧着ゴムを用いた場合には、キャビネットの剛性を高める必要がある。ところが小型化であって薄型の要請に従って、キャビネットの剛性が低くなる傾向にあり、このために硬度の高い圧接ゴムのような弾性部材を介在させると、この弾性部材の反力によって筐体が変形する可能性がある。
【０００５】
このような不具合を解消するために、例えば弾性の低いスポンジのような材料を使用することが考察される。ところが一般にスポンジは、小さな外力によって崩れ易く、例えば組込み時にキャビネット内にモールドシャーシとともに組込むときに、キャビネットの内周面と摺接して崩れ、これによって粒子を発生し、この粒子が表示パネルの表示面に付着する不具合を生ずる。
【特許文献１】実用新案登録第２５８６７５０号公報
【特許文献２】実開昭６０−６８５１５号公報
【発明の開示】
【発明が解決しようとする課題】
【０００６】
本願発明の課題は、表示パネルの周縁部に弾性部材を介在させる構成を採った場合においても、なおかつキャビネットの剛性を高くしなくてよいようにした表示パネルの防塵装置を提供することである。
【０００７】
本願発明の別の課題は、スポンジのような硬度が低くて柔軟な弾性部材から成る防塵部材を用いた場合においても、なおこのような弾性部材が崩れて粒子あるいは粉塵を発生しないようにした表示パネルの防塵装置を提供することである。
【０００８】
本願発明のさらに別の課題は、表示パネルの表示面と透明窓との間に、防塵部材が崩れて発生した粒子や粉塵が侵入しないようにした表示パネルの防塵装置を提供することである。
【０００９】
本願発明のさらに別の課題は、表示パネル上に予め防塵部材を装着してキャビネット内に組込み得るようにした表示パネルの防塵装置を提供することである。
【００１０】
本願発明の上記の課題および別の課題は、以下に述べる本願発明の技術的思想およびその実施の形態によって明らかにされる。
【課題を解決するための手段】
【００１１】
本願の主要な発明は、表面が表示面になっているほぼ矩形の表示パネルと、
前記表示パネルの表示面と対応する透明窓を有する筐体と、
前記筐体の透明窓の周縁であって内側と前記表示パネルの周縁部との間に介在されかつ弾性を有する防塵部材と、を具備し、
前記防塵部材の前記透明窓の周縁の部分に接する部位に滑性フィルムが接合されていることを特徴とする表示パネルの防塵装置に関するものである。
【００１２】
ここで、前記表示パネルが液晶表示パネルであってよい。また前記防塵部材が多孔性クッション材であってよい。また前記防塵部材が合成樹脂製またはゴム製のスポンジであってよい。また前記滑性フィルムが高分子フィルムであってよい。また前記滑性フィルムがポリエチレンテレフタレートフィルムであってよい。また前記防塵部材の前記滑性フィルムが接合される表面とは反対側の表面であって前記表示パネルの周縁部と接する部位に接着手段が接合されてよい。
【００１３】
本願の別の主要な発明は、外表面が表示面になっており、所定の表示動作を行なう表示パネルにおいて、
前記表示パネルがフロントパネルまたはキャビネットの透明窓の内側に配されるようになっており、しかも該フロントパネルまたはキャビネットの透明窓の内側の周縁部に弾性部材が介装され、該弾性部材の少なくとも前記透明窓の内側の周縁部と接する部位に滑性フィルムが接合され、前記弾性部材によって前記表示パネルの表示面と透明窓との間に粉塵が侵入しないようにしたことを特徴とする表示パネルの防塵装置に関するものである。
【００１４】
ここで、前記弾性部材の前記滑性フィルムが接合される表面とは反対側の表面に接着シートが接合され、該接着シートによって前記弾性部材が前記表示パネルの周縁部に接合されてよい。また前記表示パネルをマウントしたシャーシがキャビネット内に挿入されて組込まれるようになっており、しかも組込み時に前記キャビネットの内表面上を前記滑性フィルムが摺接するようにしてよい。また前記表示パネルの周縁部であって枠体の先端側と後端側とがそれぞれ傾斜しており、該傾斜している部分に前記滑性フィルムの端部が接合されてよい。また予め前記滑性フィルムが接合された状態で前記表示パネルが前記キャビネット内に組込まれてよい。
【発明の効果】
【００１５】
本願の主要な発明は、表面が表示面になっているほぼ矩形の表示パネルと、表示パネルの表示面と対応する透明窓を有する筐体と、筐体の透明窓の周縁であって内側と表示パネルの周縁部との間に介在されかつ弾性を有する防塵部材と、を具備し、防塵部材の透明窓の周縁の部分に接する部位に滑性フィルムが接合されるようにしたものである。
【００１６】
従ってこのような表示パネルの防塵装置によると、防塵部材の透明窓の周縁の部分に接する部位に滑性フィルムが接合されているために、このような滑性フィルムによって防塵部材が崩れて粒子状になることが防止されるようになり、このために防塵部材が粒子を発生して表示パネルと透明窓との間に侵入することが防止される。
【００１７】
本願の別の主要な発明は、外表面が表示面になっており、所定の表示動作を行なう表示パネルにおいて、表示パネルがフロントパネルまたはキャビネットの透明窓の内側に配されるようになっており、しかも該フロントパネルまたはキャビネットの透明窓の内側の周縁部に弾性部材が介装され、該弾性部材の少なくとも透明窓の内側の周縁部と接する部位に滑性フィルムが接合され、弾性部材によって表示パネルの表示面と透明窓との間に粉塵が侵入しないようにしたものである。
【００１８】
従ってこのような表示パネルの防塵装置によると、弾性部材の少なくとも透明窓の内側の周縁部と接する部位に滑性フィルムが介在されることになり、このような滑性フィルムによってパネルまたはキャビネットに対して防塵部材が摺接しても、この防塵部材が崩れて粒子や異物を発生することがなくなる。従って予め滑性シートを表示パネルの所定の部位に接着した状態で表示パネルを組込むことが可能になる。
【発明を実施するための最良の形態】
【００１９】
以下本願発明を図示の実施の形態によって説明する。まず第１の実施の形態を図１〜図６によって説明する。この実施の形態は、ＩＣレコーダに関するものである。ＩＣレコーダは、半導体メモリを内蔵し、音声信号をＡ／Ｄ変換してデジタル信号とし、このようなデジタル信号を上記の半導体メモリに書込むようにし、あるいはまた半導体メモリに書込まれたデジタル信号をＤ／Ａ変換して音声出力するようになっている。
【００２０】
ＩＣレコーダは図１〜図３に示すように、細長い直方体状をなすキャビネット１０を備え、このキャビネット１０の上面に細長い矩形の開口１１が形成される。開口１１の周縁部は段部１２になっており、この段部１２の部分に透明板１５が装着されるようになっている。透明板１５は窓を形成するようにしている。また矩形の開口１１の側部にはスライド釦１６と押釦１７とが配される。
【００２１】
このようなキャビネット１０内には、モールドシャーシ２０が組込まれる。モールドシャーシ２０は断面がコ字状に成形された合成樹脂成形体であって、両側の壁部から支持部２１が突出され（図３参照）、このような支持部２１によってプリント基板２２が保持されている。そしてプリント基板２２上には、各種の電子部品とともに液晶表示パネル２３が取付けられるようになっている。なお液晶表示パネル２３はその外周側の部分が枠体２４によって構成される。
【００２２】
上記プリント基板２２上に実装される液晶表示パネル２３は、キャビネット１０の透明板から成る窓１５の内側に配される。このときに防塵部材２７がキャビネット１０の窓１５の周縁部であって内側の部分とこの液晶表示パネル２３の枠体２４との間に配される。これによって防塵部材２７は、液晶表示パネル２３の表示面と窓１５との間に異物が侵入するのを防止し、常に良好な表示を行なうようにしている。
【００２３】
防塵部材２７は図４に示すように、スポンジシート２８から構成され、このスポンジシート２８の一方の面に接着シート２９が接合されるとともに、反対側の面には、例えばポリエチレンテレフタレート（ＰＥＴ）製の滑性フィルム３０が接合されている。そして滑性フィルム３０が上記キャビネット１０の透明窓１５の周縁部であって内側の部分に接するようにし、これによってこの防塵部材２７を構成するスポンジシート２８が崩れないようにし、あるいはまた崩れて粒子や粉塵を発生するのを阻止するようにしている。
【００２４】
ここでこのＩＣレコーダの組立ての際に、予めモールドシャーシ２０上にプリント基板２２が支持部２１を介して保持されるとともに、このプリント基板２２上に液晶表示パネル２３が実装される。そして液晶表示パネル２３の枠体２４の上面であって、長辺側の部分には、互いに対向するようにそれぞれスポンジシート２８から成る防塵部材２７が接着シート２９を介して接着される。
【００２５】
このようにモールドシャーシ２０上にプリント基板２２を介して液晶表示パネル２３を実装するとともに、その枠体２４の長辺側の部分に防塵部材２７を接合した状態で、モールドシャーシ２０が図１に示すように、細長いキャビネット１０内に挿入される。このような挿入動作の際に、防塵部材２７はそのスポンジシート２８の部分がキャビネット１０の内表面に直接接触することがなく、表面の滑性フィルム３０がキャビネット１０の内表面に摺接することになる。すなわちモールドシャーシ２０をキャビネット１０内に組込む際に、スポンジシート２８が直接キャビネット１０の内表面に接して崩れることがなく、異物や粒子を発生することもない。また滑性フィルム３０が外表面に接合されているために、液晶表示パネル２３を実装したモールドシャーシ２０をキャビネット１０内に組込む際に、その組込み作業が円滑に行なわれるようになり、組立て性が改善される。
【００２６】
モールドシャーシ２０をキャビネット１０内に組込んだ状態においては、液晶表示パネル２３が図２および図３に示すよう状態になり、液晶表示パネル２３の枠体２４の外表面とキャビネット１０の窓１５の内側の周縁部との間に防塵部材２７が介在される。このような防塵部材２７によって、液晶表示パネル２３の表示面と透明板から成る窓１５との間に異物が侵入することが防止される。従って液晶表示パネル２３によるクリーンな表示が長期間に亙って安定的に行なわれるようになる。
【００２７】
なおこのような液晶表示パネル２３によってなされる表示は、時刻、乾電池を交換する時期、録音あるいは再生の内容を記録したホルダの選択、その他このＩＣレコーダの各種の機能に関するものである。
【００２８】
次に上記実施の形態の変形例を図５および図６によって説明する。この実施の形態は、液晶表示パネル２３の枠体２４であってその長さ方向の両端側の部分にそれぞれ傾斜部３２が形成され、このような傾斜部３２に対応して、防塵部材２７の長さ方向の両端がそれぞれ傾斜部３２に接合されるようになっている。このような構成によると、枠体２４の上部に接合される防塵部材２７の両端であって挿入方向および取出し方向の端部がそれぞれ傾斜しているために、防塵部材２７が液晶表示パネル２３の枠体２４から剥離し難くなる。
【００２９】
次に別の実施の形態を図７〜図１０によって説明する。この実施の形態は、キャビネット１０に形成されるほぼ正方形あるいは矩形の開口１１の内側に液晶表示パネル２３を取付けるようにした形態に関する。すなわちキャビネット１０には、その所定の位置に矩形の開口１１が形成され、その周縁部が段部１２になっている。そして窓を構成する透明板１５が上記矩形の開口１１の段部１２の部分に取付けられるようになっている。
【００３０】
これに対してキャビネット１０の矩形の開口１１の内側の部分には、液晶表示パネル２３が取付けられる。ここで液晶表示パネル２３は上記窓１５の形状とほぼ対応する表示面を備えており、しかもその外側の部分が枠体２４から構成されている。そして枠体２４と上記キャビネット１０の透明窓１５との間には、ほぼ矩形の枠状をなす防塵部材２７が取付けられるようになっている。図８は組立てられた状態の透明板から成る窓１５と、液晶表示パネル２３との配置を示しており、透明板１５と液晶表示パネル２３との間に、矩形の防塵部材２７が配されるようになっている。従ってこのような防塵部材２７によって、液晶表示パネル２３の表示面であって透明板１５の内側の部分に異物が侵入することが防止され、良好な表示が行なわれるようになる。
【００３１】
図９および図１０は、このような液晶表示パネル２３と透明板１５との間に配される防塵部材２７の構成を示しており、剥離紙３５上に、複数の防塵部材２７が予め連続された状態で配される。このような防塵部材２７はその所定の位置に切込みから成る切断誘導部３６が形成されており、このような切断誘導部３６のところで切断することによって、図７に示すようにほぼ矩形の形状の防塵部材２７が切出されることになる。なおこのような切出しは、切断誘導部３６のところで切断した状態で、剥離紙３５から防塵部材２７を取外せばよく、例えばピンセット等によって容易に分離することができるようになっている。
【００３２】
しかも防塵部材２７は図１０に示すように、スポンジシート２８の上側の面に滑性フィルム３０を備えるとともに、反対側の面が接着シート２９によって接合されている。従って接着シート２９によって液晶表示パネル２３の枠体２４の上面に接合することが可能になり、滑性フィルム３０が透明板１５から成る窓の内側の周縁部に圧着されることになる。従ってとくに滑性フィルム３０によってスポンジシート２８が崩壊することが防止されるようになり、これによって粒子や粉塵の発生が回避されることになる。しかもこの実施の形態は、防塵部材２７が液晶表示パネル２３の４辺をそれぞれ閉じるようになっているために、より確実な防塵対策が行なわれることになる。
【００３３】
以上本願発明を図示の実施の形態によって説明したが、本願発明は上記実施の形態によって限定されることなく、本願発明の技術的思想の範囲内において各種の変更が可能である。例えば上記実施の形態は、ＩＣレコーダ等の音響機器に関するものであるが、本願発明は各種の電子機器における表示パネルの部分の防塵に広く利用することが可能である。また液晶表示パネル２３が配される透明窓１５の形状や、その寸法等についても、表示の目的に応じて各種の変更が可能である。
【産業上の利用可能性】
【００３４】
本願発明は、電子機器の液晶表示パネルの部分の防塵に利用することができる。
【図面の簡単な説明】
【００３５】
【図１】ＩＣレコーダの要部分解斜視図である。
【図２】同ＩＣレコーダの液晶表示パネルの組立てを示す縦断面図である。
【図３】図２と直交する方向の縦断面図である。
【図４】防塵部材の拡大断面図である。
【図５】変形例の構成を示す要部斜視図である。
【図６】同要部側面図である。
【図７】第２の実施の形態の表示パネルの防塵構造を示す分解斜視図である。
【図８】同要部縦断面図である。
【図９】防塵部材の配置を示す平面図である。
【図１０】防塵部材の縦断面図である。
【符号の説明】
【００３６】
１０…キャビネット、１１…矩形の開口、１２…段部、１５…透明板（窓）、１６…スライド釦、１７…押釦、２０…モールドシャーシ、２１…支持部、２２…プリント基板、２３…液晶表示パネル、２４…枠体、２７…防塵部材、２８…スポンジシート、２９…接着シート、３０…滑性フィルム、３２…傾斜部、３５…剥離紙、３６…切断誘導部（切込み）
【図１】
2008180769.tif 000003
【図２】
2008180769.tif 000004
【図３】
2008180769.tif 000005
【図４】
2008180769.tif 000006
【図５】
2008180769.tif 000007
【図６】
2008180769.tif 000008
【図７】
2008180769.tif 000009
【図８】
2008180769.tif 000010
【図９】
2008180769.tif 000011
【図１０】
2008180769.tif 000012